(57)【要約】【課題】軒樋の耳部が外れにくい軒樋吊り具を提供する。【解決手段】軒樋吊り具１は、前耳保持部１２、後耳保持部１３のすくなくとも一方は、耳部５ａ、５ｂが収容されて保持される収容体２０を有しており、収容体２０は、すくなくとも一方をばね板材３５とした２枚の板材を加工して前後に配して形成されており、収容体２０は、２枚の板材が離間配置され下端側で近接することで形成された耳収容部２１と、耳収容部２１より２枚の板材が近接または接触するように重合して下方に延びた耳挿通部２２と、耳挿通部２２より２枚の板材が下方に延び、下端が開くように形成されたガイド部２３とを備えている。【選択図】図１
2018071194.tif 000002
【特許請求の範囲】
【請求項１】
樋支持本体の前部に前耳保持部を有し、後部に後耳保持部を有し、軒樋の前後に形成された耳部を該前耳保持部、該後耳保持部で保持して軒樋を吊り支持する軒樋吊り具において、
前記前耳保持部、前記後耳保持部のすくなくとも一方は、前記耳部が収容されて保持される収容体を有しており、
前記収容体は、すくなくとも一方をばね板材とした２枚の板材を加工して前後に配して形成されており、
前記収容体は、前記２枚の板材が離間配置され下端側で近接することで形成された耳収容部と、該耳収容部より前記２枚の板材が近接または接触するように重合して下方に延びた耳挿通部と、該耳挿通部より前記２枚の板材が下方に延び、下端が開くように形成されたガイド部とを備えていることを特徴とする軒樋吊り具。
【請求項２】
請求項１において、
前記収容体で保持される前記軒樋の耳部は、前後方向のいずれか一方に膨出し、その膨出部の下端基部に上方に向けて凹んだ凹溝を有した形状とされており、
前記耳収容部は、すくなくとも一方の板材を略水平状に加工してなる耳載置部を有し、該耳載置部の前記耳挿通部側の端部に、上方に突出した突部が形成され、該突部が前記耳収容部に収容された耳部の凹部に係合するようになっている、軒樋吊り具。
【請求項３】
請求項１または２において、
前記前耳保持部、前記後耳保持部はともに前記収容体を有し、前後対称形状とされる、軒樋吊り具。
【発明の詳細な説明】
【技術分野】
【０００１】
本発明は軒樋吊り具に関する。
【背景技術】
【０００２】
軒樋吊り具は、帯板状の板本体で軒樋を受け支持する軒樋受け具とは異なり、前耳保持部で軒樋の耳部（前耳）を保持し、後耳保持部で軒樋の耳部（後耳）を保持することで軒樋を吊り支持する構成となっている。したがって、前耳保持部、後耳保持部のいずれか一方でも外れれば、軒樋は外れたり、ぐらついたりするおそれがある。
【０００３】
従来には、軒樋を確実に吊り支持できるように、種々の構造の前耳保持部、後耳保持部を有した軒樋吊り具が提案されている（たとえば、特許文献１参照）。
【０００４】
特許文献１の前耳保持部は前耳を下方より引っかける構造である一方、後耳保持部は後耳を耳収容部に収容させるようにした構造となっている。後耳保持部には、後耳が耳収容部に収容されるために上下動するスライドピンが用いられている。
【先行技術文献】
【特許文献】
【０００５】
【特許文献１】特許第３６３７５０９号公報
【発明の概要】
【発明が解決しようとする課題】
【０００６】
しかしながら、上記文献のものにおいて、後耳が耳収容部に収容された後にスライドピンが不良のため下方に落ちなかった場合、耳収容部の下方に向いた開口が開いたままになるため後耳が耳収容部から外れるおそれがある。
【０００７】
また、ばね材で耳挿通部を開いて耳を耳収容部に収容させるものも種々提案されているが、上記のものと同様、耳収容部の開口が大きいため、収容後に耳が開口より外れ落ちるおそれがある。
【０００８】
本発明は、このような事情を考慮して提案されたもので、その目的は、軒樋の耳部が外れにくい軒樋吊り具を提供することにある。
【課題を解決するための手段】
【０００９】
上記目的を達成するために、請求項１に記載の軒樋吊り具は、樋支持本体の前部に前耳保持部を有し、後部に後耳保持部を有し、軒樋の前後に形成された耳部を該前耳保持部、該後耳保持部で保持して軒樋を吊り支持する軒樋吊り具において、前記前耳保持部、前記後耳保持部のすくなくとも一方は、前記耳部が収容されて保持される収容体を有しており、前記収容体は、すくなくとも一方をばね材とした２枚の板材を加工して前後に配して形成されており、前記収容体は、前記２枚の板材が離間配置され下端側で近接することで形成された耳収容部と、該耳収容部より前記２枚の板材が近接または接触するように重合して下方に延びた耳挿通部と、該耳挿通部より前記２枚の板材が下方に延び、下端が開くように形成されたガイド部とを備えていることを特徴とする。
【００１０】
請求項２に記載の軒樋吊り具は、前記収容体で保持される前記軒樋の耳部は、前後方向のいずれか一方に膨出し、その膨出部の下端基部に上方に向けて凹んだ凹溝を有した形状とされており、前記耳収容部は、すくなくとも一方の板材を略水平状に加工してなる耳載置部を有し、該耳載置部の前記耳挿通部側の端部に、上方に突出した突部が形成され、該突部が前記耳収容部に収容された耳部の凹部に係合するようになっている。
【００１１】
請求項３に記載の軒樋吊り具は、前記前耳保持部、前記後耳保持部はともに前記収容体を有し、前後対称形状とされる。
【発明の効果】
【００１２】
請求項１に記載の軒樋吊り具によれば、上述した構成となっているため、軒樋が施工された後に耳が外れるおそれがない。
【００１３】
請求項２に記載の軒樋吊り具によれば、上述した構成となっているため、軒樋をさらに強固に保持して吊り支持することができる。
【００１４】
請求項３に記載の軒樋吊り具によれば、上述した構成となっているため、前後対称形状の丸樋などの軒樋を簡単な操作で取り付けることができる。また、前後の区別なく利用できるので、作業効率が向上する。
【図面の簡単な説明】
【００１５】
【図１】本発明の一実施形態に係る軒樋吊り具の側面図である。（ａ）は使用状態を示した図、（ｂ）は軒樋の取り付け方法を示した図である。
【図２】（ａ）（ｂ）は、耳部の取り付け手順を示した部分拡大縦断面図である。
【図３】（ａ）（ｂ）は、収容体の他の２例を示した部分拡大側面図である。
【図４】さらに他の収容体の例を示した部分拡大側面図である。
【発明を実施するための形態】
【００１６】
以下に、本発明の実施の形態に係る軒樋吊り具について、添付図面をもとに説明する。
【００１７】
本軒樋吊り具１は、樋支持本体１０の前部に前耳保持部１２を有し、後部に後耳保持部１３を有し、軒樋５の前後に形成された耳部５ａ、５ｂを前耳保持部１２、後耳保持部１３で保持して軒樋５を吊り支持するようにしたものである。
【００１８】
この軒樋吊り具１の前耳保持部１２、後耳保持部１３のすくなくとも一方は、耳部５ａ、５ｂが収容されて保持される収容体２０を有している。この収容体２０は、すくなくとも一方をばね板材３５とした２枚の板材を加工して前後に配して形成されている。この収容体２０は、２枚の板材が離間配置され下端側で近接することで形成された耳収容部２１と、耳収容部２１より２枚の板材が近接または接触するように重合して下方に延びた耳挿通部２２と、耳挿通部２２より２枚の板材が下方に延び、下端が開くように形成されたガイド部２３とを備えている。
【００１９】
ついで、本軒樋吊り具１の詳細について図１および図２にもとづいて説明する。図１（ａ）は使用状態を示した側面図、図１（ｂ）は軒樋５の取り付け方法を示した側面図である。図２（ａ）（ｂ）は、耳部５ｂの取り付け手順を示した部分拡大縦断面図である。
【００２０】
本軒樋吊り具１は、軒樋５の前後の耳部５ａ、５ｂを保持して軒樋５を吊り支持する樋支持具本体１０と、軒先（壁面）３等に固定される、樋支持具本体１０と連結された取付杆４０とを備えている。
【００２１】
取付杆４０は、前端に樋支持具本体１０と連結される連結部４１を有し、後端に軒先（壁面）３等に固定される取付部４２を有している。取付部４２は板状体の後端部に形成された垂下部４３に取付板体４４を取りつけてなり、軒先（壁面）３等に固定具４５で固定される。また、連結部にはボルト挿通孔（不図示）が形成されている。
【００２２】
樋支持具本体１０は、帯板状の板状部１１と、前耳保持部１２と、後耳保持部１３とを備えている。板状部１１には長孔１１ａが開設されている。樋支持具本体１０は、板状部１１の上に取付杆４０の連結部４１を重ね、重合した長孔１１ａとボルト挿通孔（不図示）にボルト５１を通し蝶ナット５２で螺合することで、取付杆４０に連結されるようになっている。取付杆４０に対する樋支持具本体１０の取付位置を長孔１１ａで調整することで、軒樋５の軒先（壁面）３等からの出具合を調節できるようになっている。
【００２３】
前耳保持部１２は、上述したように収容体２０を有しており、その収容体２０は、板状部１１の前端より折り曲げ形成された折曲板部３０と、板状部１１の裏面に固定されたばね板材３５とを前後に配することで形成されている。折曲板部３０は、コ字状部３１の下部後端より下方に延びる垂下片３２を有しており、垂下片３２の下端は前方に傾斜状に曲げてある。
【００２４】
ばね板材３５はコ字状部３１の後方開口を塞ぐように取り付けられており、その下方部は折曲板部３０の垂下片３２にほとんど隙間なく近接または接触している。ばね板材３５の下端は折曲板部３０の下端とほぼ同高さ位置とされ、前方に傾斜状に曲げてある。
【００２５】
前耳保持部１２の収容体２０は、このように２枚の板材を組み合わせること形成され、収容空間を有した耳収容部２１と、板材が重なり合った耳挿通部２２と、ハ字状に開いたガイド部２３とを有した構成となっている。なお、ガイド部２３はハ字状でなくてもよく、一方のみが開いた形状であってもよい。
【００２６】
耳収容部２１の収容空間の略水平状の底辺部は耳載置部２５とされる。この耳載置部２５の耳挿通部２２側の端部には、切り起こしにより形成された突部２４が上方に突出している。
【００２７】
後耳保持部１３は、上述したように収容体２０を有しており、その収容体２０は、板状部１１の裏面に固定されたばね板材３５と、板状部１１の後端より折り曲げ形成された折曲板部３０とを前後に配することで形成されている。折曲板部３０は、コ字状部３１の下部前端より下方に延びる垂下片３２を有しており、垂下片３２の下端は後方に傾斜状に曲げてある。
【００２８】
ばね板材３５はコ字状部３１の前方開口を塞ぐように取り付けられており、その下方部は折曲板部３０の垂下片３２にほとんど隙間なく近接または接触している。ばね板材３５の下端は折曲板部３０の下端とほぼ同高さ位置とされ、後方に傾斜状に曲げてある。
【００２９】
後耳保持部１３の収容体２０は、このように２枚の板材を組み合わせることで形成され、収容空間を有した耳収容部２１と、板材が重なり合った耳挿通部２２と、ハ字状に開いたガイド部２３とを有した構成となっている。なお、ガイド部２３はハ字状でなくてもよく、一方のみが開いた形状であってもよい。
【００３０】
耳収容部２１の収容空間の略水平状の底辺部は耳載置部２５とされる。この耳載置部２５の耳挿通部２２側の端部には、切り起こしにより形成された突部２４が上方に突出している。
【００３１】
以上のように、前耳保持部１２と後耳保持部１３はともに収容体２０、２０を有し、図１で示したように前後でほぼ対称的な形状となっている。よって、前後を反対にしても利用することができる。
【００３２】
この樋支持具本体１０には、図１に示すように、断面が半円状の丸樋が吊り支持される。丸樋には前後の耳部（前耳５ａ、後耳５ｂ）が外側に膨出するように形成されている。また、耳部５ａ、５ｂの膨出部の下端基部には上方に向けて凹んだ凹部７（図２参照）が形成されている。
【００３３】
前耳５ａを前耳保持部１２のガイド部２３にあてがうとともに、後耳５ｂを後耳保持部１３のガイド部２３にあてがい、軒樋５を上方に持ち上げるように押し込むことで、図１（ｂ）に示すように、それぞれのばね板材３５が弾性変形し、耳部５ａ、５ｂは耳挿通部２２の前後に広くなった挿通路を通り、耳収容部２１の収容空間へと到達する（図１（ａ）参照）。
【００３４】
耳部５ａ、５ｂの装着の際には、図２（ａ）に示すように、装着操作の勢いでで耳部５ａ、５ｂはいったん板状部１１の裏面に近づくが、軒樋５を引き下げるか、あるいは軒樋が自然落下することで耳部５ａ、５ｂは耳載置部２５に載置された状態となり、突部２４が耳部５ａ、５ｂの凹部７に入り込み、軒樋５は安定した状態に保持される。
【００３５】
なお、ばね板材３５は、軒樋５が半円形状の場合には図２の２点鎖線で示すように軒樋５の形状に合致するように柔軟に弾性変形する素材とされることが望ましい。それにより、軒樋５に負荷をかけることはなく、軒樋５の早期劣化を防止することができる。
【００３６】
以上のように、軒樋吊り具１は２枚の板材が近接または接触した耳挿通部２２を有しているため、いったん耳収容部２１に収容された耳部５ａ、５ｂは耳収容部２１より抜け落ちるおそれはほとんどない。また、耳部５ａ、５ｂの凹部に入り込む突部２４が形成されているので、耳部５ａ、５ｂがばね板材３５を軒樋５の中央側に押圧して抜け出るおそれもない。
【００３７】
ついで、収容体２０の種々の形状、構成例について、図３および図４を参照して説明する。なお、これらの図には後耳保持部１３の収容体２０を図示したが、前耳保持部１２についても同様であることは言うまでもない。
【００３８】
図３（ａ）に示した収容体２０は、そのほぼ全体がばね板材３５で形成されている。つまり、ばね板材３５の加工により、矩形空間を有した耳収容部２１と、垂下状の耳挿通部２２と、ハ字状に開いたガイド部２３とが形成されている。このように加工されたばね板材３５は、樋支持具本体１０の板状部１１に固定されている。
【００３９】
このように収容体２０がばね板材３５で形成されているため、耳挿通部２２は耳部５ｂの装着の際には前後で略均等に開くので耳部５ｂの装着をしやすくできる。なお、突部２４としては、図１のものと同様の形状のものが形成されている。
【００４０】
図３（ｂ）に示した収容体２０は、上述したものと同様、矩形空間を有した耳収容部２１と、垂下状の耳挿通部２２と、ハ字状に開いたガイド部２３とを備えているが、耳収容部２１の耳載置部２５が前後に分離して形成されており、図３（ｂ）に示したような前後両側に突出した耳部５ｂを保持しやすくなっている。
【００４１】
この収容体２０は、このように前後両側を保持する構成であるため、図１に示した収容体２０のような突部２４を有さなくても、外れるおそれはほとんどない。
【００４２】
なお、軒樋５の耳部５ｂは、図３（ｂ）に示すように、前後両側に突出するとともに、上方が細くなるように突出した形状とすることが、装着をしやすくするうえで望ましい。
【００４３】
図４に示した収容体２０は、上述したものと同様、矩形空間を有した耳収容部２１と、垂下状の耳挿通部２２と、ハ字状に開いたガイド部２３とを備えている。この収容体２０は突部２４を有するとともに、さらに、コ字状部３１の開口を塞ぐばね板材３５に、収容空間側に突出した、切り起こしによる突片３６を有している。
【００４４】
耳部５ｂを耳収容部２１に収容する際には、いったん耳部５ｂが突片３６を弾性的に押し上げ、その後、下方に移動して突部２４に係止される。それと同時に突片３６が弾性復帰して耳部５ｂの上端を押さえる。こうして耳部５ｂは上下左右にずれないように突部２４と突片３６に係止され、がたつきが防止される。
【００４５】
以上には軒樋５の例として丸樋を例示したが、角樋であってもよい。また以上には、前耳保持部１２、後耳保持部１３が対称形状の収容体２０を有した軒樋吊り具１を例示したが、対称形状でなくてもよいし、一方のみに収容体２０を有したものであってもよい。
【符号の説明】
【００４６】
１          軒樋吊り具
３          軒先（壁面）
５          軒樋
５ａ        耳部（前耳）
５ｂ        耳部（後耳）
７          凹部
１０        樋支持具本体
１１        板状部
１１ａ      長孔
１２        前耳保持部
１３        後耳保持部
２０        収容体
２１        耳収容部
２２        耳挿通部
２３        ガイド部
２４        突部
２５        耳載置部
３０        折曲板部
３１        コ字状部
３２        垂下片
３５        ばね板材
３６        突片
４０        取付杆
４１        連結部
４２        取付部
４３        垂下部
４４        取付板体
４５        固定具
５１        ボルト
５２        蝶ナット
【図１】
2018071194.tif 000003
【図２】
2018071194.tif 000004
【図３】
2018071194.tif 000005
【図４】
2018071194.tif 000006
【手続補正書】
【提出日】平成30年3月16日(2018.3.16)
【手続補正１】
【補正対象書類名】特許請求の範囲
【補正対象項目名】全文
【補正方法】変更
【補正の内容】
【特許請求の範囲】
【請求項１】
樋支持具本体の前部に前耳保持部を有し、後部に後耳保持部を有し、軒樋の前後に形成された耳部を該前耳保持部、該後耳保持部で保持して軒樋を吊り支持する軒樋吊り具において、
前記前耳保持部、前記後耳保持部のすくなくとも一方は、前記耳部が収容されて保持される収容体を有しており、
前記収容体は、すくなくとも一方をばね板材とした２枚の板材を加工して前後に配して形成されており、
前記収容体は、前記２枚の板材が離間配置され下端側で近接することで形成された耳収容部と、該耳収容部より前記２枚の板材がともに、隙間なく相互に接触するように重合して下方に延びた耳挿通部と、該耳挿通部より前記２枚の板材が下方に延び、下端が開くように形成されたガイド部とを備えており、
前記耳挿通部には、前記ガイド部より、前記軒樋の前記耳部が上方に持ち上げられることで、前記ばね板材が弾性変形して挿通路が形成されることを特徴とする軒樋吊り具。
【請求項２】
請求項１において、
前記収容体で保持される前記軒樋の耳部は、前後方向のいずれか一方に膨出し、その膨出部の下端基部に上方に向けて凹んだ凹部を有した形状とされており、
前記耳収容部は、すくなくとも一方の板材を略水平状に加工してなる耳載置部を有し、該耳載置部の前記耳挿通部側の端部に、上方に突出した突部が形成され、該突部が前記耳収容部に収容された耳部の凹部に係合するようになっている、軒樋吊り具。
【請求項３】
請求項１または２において、
前記前耳保持部、前記後耳保持部はともに前記収容体を有し、前後対称形状とされる、軒樋吊り具。
【手続補正２】
【補正対象書類名】明細書
【補正対象項目名】０００９
【補正方法】変更
【補正の内容】
【０００９】
上記目的を達成するために、請求項１に記載の軒樋吊り具は、樋支持具本体の前部に前耳保持部を有し、後部に後耳保持部を有し、軒樋の前後に形成された耳部を該前耳保持部、該後耳保持部で保持して軒樋を吊り支持する軒樋吊り具において、前記前耳保持部、前記後耳保持部のすくなくとも一方は、前記耳部が収容されて保持される収容体を有しており、前記収容体は、すくなくとも一方をばね材とした２枚の板材を加工して前後に配して形成されており、前記収容体は、前記２枚の板材が離間配置され下端側で近接することで形成された耳収容部と、該耳収容部より前記２枚の板材がともに、隙間なく相互に接触するように重合して下方に延びた耳挿通部と、該耳挿通部より前記２枚の板材が下方に延び、下端が開くように形成されたガイド部とを備えており、前記耳挿通部には、前記ガイド部より、前記軒樋の前記耳部が上方に持ち上げられることで、前記ばね板材が弾性変形して挿通路が形成されることを特徴とする。
【手続補正３】
【補正対象書類名】明細書
【補正対象項目名】００１０
【補正方法】変更
【補正の内容】
【００１０】
請求項２に記載の軒樋吊り具は、前記収容体で保持される前記軒樋の耳部は、前後方向のいずれか一方に膨出し、その膨出部の下端基部に上方に向けて凹んだ凹部を有した形状とされており、前記耳収容部は、すくなくとも一方の板材を略水平状に加工してなる耳載置部を有し、該耳載置部の前記耳挿通部側の端部に、上方に突出した突部が形成され、該突部が前記耳収容部に収容された耳部の凹部に係合するようになっている。
【手続補正４】
【補正対象書類名】明細書
【補正対象項目名】００２４
【補正方法】変更
【補正の内容】
【００２４】
ばね板材３５はコ字状部３１の後方開口を塞ぐように取り付けられており、その下方部は折曲板部３０の垂下片３２に隙間なく接触している。ばね板材３５の下端は折曲板部３０の下端とほぼ同高さ位置とされ、後方に傾斜状に曲げてある。
【手続補正５】
【補正対象書類名】明細書
【補正対象項目名】００２８
【補正方法】変更
【補正の内容】
【００２８】
ばね板材３５はコ字状部３１の前方開口を塞ぐように取り付けられており、その下方部は折曲板部３０の垂下片３２に隙間なく接触している。ばね板材３５の下端は折曲板部３０の下端とほぼ同高さ位置とされ、前方に傾斜状に曲げてある。
【手続補正６】
【補正対象書類名】明細書
【補正対象項目名】００３６
【補正方法】変更
【補正の内容】
【００３６】
以上のように、軒樋吊り具１は２枚の板材が近接または接触した耳挿通部２２を有しているため、いったん耳収容部２１に収容された耳部５ａ、５ｂは耳収容部２１より抜け落ちるおそれはほとんどない。また、耳部５ａ、５ｂの凹部７に入り込む突部２４が形成されているので、耳部５ａ、５ｂがばね板材３５を軒樋５の中央側に押圧して抜け出るおそれもない。